(57)【要約】    【課題】釣道具を効率的に収容することができる電源装置の提供。    【解決手段】この電源装置１０は、ケーシング１１と、バッテリー本体１２と、タックルボックス１３とを備える。バッテリー本体１２は、ケーシング１１の内底部に配置されている。ケーシング１１の外壁面１９に電源ソケット１８が設けられている。電源ソケット１８は、バッテリー本体１２と接続されている。タックルボックス１３は、収容室２７〜２９と、収容室３０とを備えている。収容室２７〜２９には、使用によって汚れや臭い等が付着する釣道具が収容される。ケーシング１１の外壁面１９に釣糸引出孔２１が設けられている。タックルボックス１３に収容された釣糸は、この釣糸引出孔２１から引き出される。【選択図】図１
2006042705.tif 000002
【特許請求の範囲】
【請求項１】
上面に開口が設けられたケーシングと、
ケーシングの内底部に配置されたバッテリー本体と、
ケーシング内のバッテリー本体の上方に配置されたタックルボックスとを備え、
ケーシングの外壁面に、バッテリー本体と接続された電源ソケットが設けられている電源装置。
【請求項２】
上記タックルボックスは、
使用されることによって汚れが付着するタックルを収容する第１収容部と、
使用されることによって汚れが付着しないタックルを収容する第２収容部と、
第１収容部及び第２収容部の間に形成された隔壁とを備えている請求項１に記載の電源装置。
【請求項３】
上記ケーシングの外壁面に、上記タックルボックスの内部に連通する釣糸引出孔が設けられている請求項１又は２に記載の電源装置。
【請求項４】
上記タックルボックスは、上記第２収容部を封じる閉塞部材を備えている請求項２又は３に記載の電源装置。
【請求項５】
上記閉塞部材は、小物を収容する小物収容部を備えている請求項４に記載の電源装置。
【請求項６】
上記ケーシングの外壁面に工具が着脱自在に取り付けられる工具保持部が設けられている請求項１ないし５のいずれかに記載の電源装置。
【請求項７】
上記工具保持部は、着脱自在に設けられている請求項６に記載の電源装置。
【発明の詳細な説明】
【技術分野】
【０００１】
本発明は、特に船釣の際に必要とされる電源装置の構造に関するものである。
【背景技術】
【０００２】
釣行の際に釣人は、ロッド、リールのほかさまざまな釣道具を携帯する。このため、従来から釣人は、ロッドケース及びタックルケースにこれらの釣道具を効率的にコンパクトに収納し、釣場に持ち込んでいた（例えば特許文献１参照）。特に船釣では、電動リールが用いられることが多いため、釣人は、電源装置を携帯して乗船することもある。電源装置は、一般にその外形も重量も大きく、そのため、釣人は、多くの釣道具をタックルケースにコンパクトに収納するために工夫が必要であった。例えば、外形も重量も大きい電源装置は、タックルケースの内奥部に収容され、次にリール等の中型の道具が収容され、最後に釣糸や針等の小物類が収容される。
【０００３】
【特許文献１】特開２０００−６０４０１公報
【発明の開示】
【発明が解決しようとする課題】
【０００４】
ところが、船釣の場合、釣人が乗船した後に釣りの準備をする際には、釣人は、電源装置を所定位置へ設置する作業を最初に行う。そのため、釣人は、タックルケースに収容された釣道具を全部出して電源装置を取り出す必要があり、電源装置が設置された後に、再び釣道具をタックルケースに収納しなければならないという問題がある。
【０００５】
ところで、電源装置については、実釣中に操作される頻度がきわめて低く、一旦設置されれば、釣りが終了するまでほとんど同一場所に置かれているだけである。これに対して、針外し、釣糸、ラインカッター等の小物類は、タックルケースから出し入れされる頻度が高い。したがって、タックルケースは、このような小物類が実釣中に出し入れされやすい構造を備えていることが好ましいが、実釣中に電源装置の出し入れがされやすい構造である必要はない。そうすると、逆に、電源装置がさまざまな釣道具を収容することができれば、釣人にとってきわめて便利である。
【０００６】
そこで、本発明の目的は、釣道具を効率的に収容することができる電源装置を提供することである。
【課題を解決するための手段】
【０００７】
(1) 上記目的が達成されるため、本発明に係る電源装置は、上面に開口が設けられたケーシングと、ケーシングの内底部に配置されたバッテリー本体と、ケーシング内のバッテリー本体の上方に配置されたタックルボックスとを備え、ケーシングの外壁面に、バッテリー本体と接続された電源ソケットが設けられている。
【０００８】
この発明によれば、実釣に必要な道具は、ケーシング内のタックルボックスに収容される。したがって、この電源装置は、タックルケースを兼ねることになる。釣人は、この電源装置を持って乗船し、釣座にこの電源装置を置く。釣人は、電源装置のタックルボックスから釣用リール（典型的には電動リール）を取り出す。タックルボックスがバッテリー本体の上方に配置されていることから、釣人は、釣用リールをきわめて簡単且つ迅速に取り出すことができる。タックルボックスから取り出された釣用リールは、電源コードによりバッテリー本体と接続される。ケーシングに電源ソケットが設けられていることから、バッテリー本体がケーシングから取り出される必要はなく、釣人が電源コードの電源プラグを上記電源ソケットに嵌め込むだけで、釣用リールに電力が供給される。また、釣人は、その他の実釣に必要な道具を適宜タックルボックスから出し入れすることができるが、この作業は、タックルボックスがバッテリー本体の上方に配置されていることから、きわめて容易である。
【０００９】
(2) 上記タックルボックスは、使用されることによって汚れが付着するタックルを収容する第１収容部と、使用されることによって汚れが付着しないタックルを収容する第２収容部とを備えているのが好ましい。この場合、第１収容部及び第２収容部の間に隔壁が形成されているのが好ましい。
【００１０】
この構成では、タックルは、その種類に応じて分類して収容される。例えば、船釣りでは、釣用リールや仕掛けとして使用されるカゴ（「ビシ」と称される。）等は、常に海水や釣り餌に晒される環境にあるため、使用後（釣りが終了したとき）に汚れや海水の臭いが付着する。この汚れや臭いは、一般に不快なものであり、そのような汚れや臭いが付着した道具は、まとめて第１収容部に収容される。一方、釣糸、錘、針等は、仕掛けが作成される際に必要となるが、使用後には一般に廃棄されることから、タックルボックス内にストックされている釣糸等には、通常、汚れや臭い等は付着しないし、また、汚れや臭い等が付着しない方が釣人も快適に使用することができる。したがって、そのような汚れや臭いが付着しない道具は、まとめて第２収容部に収容される。しかも、第１収容部と第２収容部とは、隔壁により隔てられているから、本来汚れや臭いが付着しない道具に、第１収容部から臭いが移ったり、汚れが付着することが回避される。
【００１１】
(3) 上記ケーシングの外壁面に、上記タックルボックスの内部に連通する釣糸引出孔が設けられているのが好ましい。
【００１２】
この構成では、釣人は、タックルボックス内に収容された釣糸の端部を釣糸引出孔からケーシングの外部に予め引き出しておくことができる。これにより、釣人は、仕掛けを作成する際に、いちいちタックルボックスから釣糸を取り出す必要はなく、上記ケーシングの外部に引き出された釣糸の端部を引っ張るだけで、所望長さの釣糸を取り出すことができる。しかも、釣糸を取り出す上で電源装置を開閉する必要がないから、水しぶきが電源装置内に侵入することもない。
【００１３】
(4) 上記タックルボックスは、上記第２収容部を封じる閉塞部材を備えているのが好ましい。この構成では、閉塞部材が第２収容部を閉塞することにより、第２収容部に収容された道具に汚れや臭いが付着することが確実に防止される。
【００１４】
(5) さらに、上記閉塞部材は、小物を収容する小物収容部を備えているのが好ましい。この構成では、釣人は、閉塞部材に小物（例えば、予備の針、釣糸、錘、ウキ等）を収容しておくことができる。
【００１５】
(6) 上記ケーシングの外壁面に工具が着脱自在に取り付けられる工具保持部が設けられているのが好ましい。この構成では、電源装置に工具が取り付けれる。したがって、釣人は、実釣におけるさまざまなトラブル（道具の故障、仕掛けの修正等）に迅速に対応することができる。
【００１６】
(7) 上記工具保持部は、着脱自在に設けられているのが好ましい。これにより、釣人は、使い勝手の良い位置に工具を配置することができる。
【発明の効果】
【００１７】
本発明によれば、電源装置がタックルケースを兼ねる。しかも、バッテリー本体が電源装置の下方に配置され、タックルボックスがバッテリー本体の上方に配置されているので、釣人は、バッテリー本体を取り出すことなく必要な釣道具を電源装置から容易に取り出すことができる。したがって、釣人は、素早く仕掛けをセットすることができ、また、素早く道具を片づけることができる。
【発明を実施するための最良の形態】
【００１８】
以下、適宜図面が参照されつつ、好ましい実施形態に基づいて本発明が詳細に説明される。
【００１９】
図１は、本発明の一実施形態に係る電源装置の分解斜視図である。また、図２ないし図４は、この電源装置の正面図、平面図及び右側面図である。
【００２０】
この電源装置１０は、主として船釣に使用されるものであり、電動リールに電力を供給する電源として機能するほかに、実釣に必要なさまざまな釣道具を収容するタックルケースとしても機能する。電源装置１０は、ケーシング１１と、バッテリー本体１２と、タックルボックス１３とを備えている。
【００２１】
ケーシング１１は、例えば樹脂又はアルミニウム等の金属により構成される。ケーシング１１は、上面に開口１４が設けられた略直方体状に形成されており、開口１４を開閉する扉１５、１６を有している。この扉１５、１６も樹脂又は金属により構成される。本実施形態では、２枚の扉１５、１６が設けられているが、単一の扉によって開口１４が開閉されるように構成されていてもよい。扉１５、１６は、ロック機構１７を備えている。ロック機構１７は、扉１５、１６が開口１４を閉じたときに当該閉じ状態を維持する。このロック機構１７は既知の構成であり、釣人は、このロック機構１７のノブを操作することによって、扉１５、１６を開くことができる。
【００２２】
ケーシング１１は、電源ソケット１８を備えている。この電源ソケット１８は、ケーシング１１の外壁面１９に設けられており、当該外壁面１９に露出している。電源ソケット１８は、後に詳述されるバッテリー本体１２と電気的に接続されており、電動リールに連結される電源コードのプラグが差し込まれるようになっている。
【００２３】
ケーシング１１は、釣糸取出部２０を備えている。この釣糸取出部２０は、ケーシング１１の外壁面１９に設けられており、４つの釣糸引出孔２１を有する。各釣糸引出孔２１は、ケーシング１１を貫通している。各釣糸引出孔２１の内径寸法は、特に限定されるものではないが、釣人が使用する釣糸が挿通され得る寸法に設定されていればよい。なお、本実施形態では、４つの釣糸引出孔２１が設けられているが、釣糸引出孔２１の数は、何ら制限されるものではない。
【００２４】
ケーシング１１は、工具保持部２２を備えている。この工具保持部２２は、ケーシング１１の外壁面１９に露出している。この工具保持部２２は、例えば図２が示すようにプライヤ２３、ドライバ２４（スクリュードライバ等）のほか、鋏やラインカッター等の工具を保持する。工具保持部２２は既知の構成であり、例えばプライヤの顎部やドライバのブレード等が差し込まれる保持孔を備えている。本実施形態では、工具保持部２２は、ケーシング１１と一体的に形成されているが、工具保持部２２がケーシング１１に対して着脱自在に設けられていてもよい。その場合、工具保持部２２を保持するステーがケーシング１１の外壁面１９に設けられているのが好ましい。さらに、このステーは、ケーシング１１の外壁面１９の複数箇所に設けられているのが、より好ましい。
【００２５】
本実施形態では、ケーシング１１の外壁面１９の隅部にプロテクタ３９が設けられている。このプロテクタ３９は、樹脂又はゴム等により構成されている。このプロテクタ３９が設けられることにより、この電源装置１０のケーシング１１が障害物等に衝突した場合であっても、ケーシング１１の四隅が容易に損傷を受けることがない。もっとも、このプロテクタ３９は、省略されていてもよい。
【００２６】
さらに本実施形態では、図３が示すように、扉１６の上面にネット４８が設けられれている。このネット４８は矩形状に形成されており、例えばゴム紐が編まれて構成されている。ネット４８の四隅には吸盤４９が設けられており、この吸盤４９が扉１６の上面に吸い付くことによって、ネット４８が扉１６に固定されている。このネット４８が設けられることにより、釣人は、実釣において使用するタオルやウェアのほか、釣道具をネット４８の内部に収納することができる。なお、このネット４８は、省略されていてもよい。
【００２７】
バッテリー本体１２は、ケーシング１１の内底部に配置されている。バッテリー本体１２は、充電が可能なものであることが望ましい。バッテリー本体１２の蓄電形式は、特に限定されるものではなく、既知の蓄電形式が採用され得る。バッテリー本体１２の定格起電力は特に限定されるものではないが、電動リールが駆動されるために十分な電圧が確保されることが必要である。バッテリー本体１２は、図１が示すように平板状に形成されており、その外形形状は、ケーシング１１の内底部の形状に対応されている。このため、バッテリー本体１２は、ケーシングの内底部に隙間無く安定して配置されている。バッテリー本体１２には、バッテリーコード２５が連結されている。このバッテリーコード２５の先端部にコネクタ２６が設けられており、このコネクタ２６は、上記電源ソケット１８と接続されている。
【００２８】
図５は、扉１５、１６が開放された状態での電源装置１０の正面図であり、図６は、図５におけるVI−矢視図である。なお、図６では、扉１５、１６の図示は省略されている。
【００２９】
図１、図５及び図６が示すように、タックルボックス１３は、ケーシング１１の内部に嵌め込まれており、例えば樹脂又はアルミニウム等の金属により構成される。タックルボックス１３は、バケツ状に形成されており、その内部に複数の収容室が設けられている。具体的には、図６が示すように、タックルボックス１３は、収容室２７、収容室２８及び収容室２９（第１収容部）と、収容室３０（第２収容部）とを有している。各収容室２７〜３０は、隔壁３１によって隔てられている。これら収容室２７〜３０及び隔壁３１は、一体的に形成されている。
【００３０】
各収容室２７〜３０には、各種釣道具が収容される。収容室２７〜収容室２９には、釣道具のうち、使用されることによって汚れ（例えば、オキアミ等の釣餌の付着等）や臭い（海水の臭い）が付着するものが収容され、収容室３０には、釣道具のうち、使用されることによって汚れや臭い等が付着しないものが収容される。具体的には、収容室２７には、電動リール３１及び電源コード３２が収容される。収容室２８には、ロッドキーパ３３等が収容される。収容室２９には、ビシ３４が収容される。また、収容室３０には、仕掛ボックス３５や釣糸３６が収容される。この場合、釣糸３６は、予めスプールに巻き取られた状態で収容室３０内に配置され、収容室３０内で回転することができる。
【００３１】
タックルボックス１３の側壁３７には、４つの貫通孔３８が設けられている。上記収容室３０に収容された釣糸３６は、スプールから引き出され、この貫通孔３８に挿通される。貫通孔３８を挿通した釣糸は、ケーシング１１に設けられた上記釣糸引出孔２１に挿通される。これにより、収容室３０に収容された釣糸３６は、その端部が予め釣糸引出孔２１からケーシング１１の外部に導き出されている。なお、本実施形態では、上記貫通孔３８は４つ設けられているが、貫通孔３８の数は何ら制限を受けることはない。
【００３２】
タックルボックス１３は、小物収容トレイ４０（閉塞部材、小物収容部）を備えている。この小物収容トレイ４０は、タックルボックス１３の上面に隙間無く嵌め込まれるようになっている。小物収容トレイ４０がタックルボックス１３に嵌め込まれた状態では、上記収容室３０が封じられるようになっている。つまり、小物収容トレイ４０は、収容実３０の上にぴったりと嵌め込まれ、釣人は、必要に応じて小物収容トレイ４０をタックルボックス１３から取り外すことができる。
【００３３】
図６が示すように、小物収容トレイ４０は、樹脂等から構成されており、内部に２つの収容室が区画されている。小物収容トレイ４０は、各収容室を開閉する扉４１、４２を備えており、各収容室には、予備の釣針、釣糸、錘等が収容され得る。なお、小物収容トレイ４０は、上記扉４１、４２を備えていなくてもよいが、扉４１、４２が設けられることにより、収容室２７〜２９から臭い等が移ることが防止される。
【００３４】
また、本実施形態では、電源装置１０は、肩掛けベルト４３を備えている。この肩掛けベルト４３は、上記タックルボックス１３とケーシング１１との間に挿通され、ケーシング１１の底面に固定されている。図２ないし図４が示すように、肩掛けベルト４３は二分割されている。一方の肩掛けベルト４４の端部にソケット４５が設けられ、他方の肩掛けベルト４６の端部にプラグ４７が設けられている。このプラグ４７がソケット４５に嵌め込まれることによって、肩掛けベルト４３が環状に形成される。なお、肩掛けベルト４３は、省略されていてもよい。
【００３５】
釣人は、本実施形態に係る電源装置１０を次のように使用する。
【００３６】
釣人は、実釣に必要な道具をケーシング１１内のタックルボックス１３に収容することができる。したがって、この電源装置１０は、タックルケースを兼ねることになる。釣人は、この電源装置１０を持って乗船し、釣座にこの電源装置１０を置く。釣人は、ケーシング１１の扉１５、１６を開け、タックルボックス１３から電動リール３１及び電源コード３２を取り出す。このとき、タックルボックス１３がバッテリー本体１２の上方に配置されていることから、釣人は、電動リール３１をきわめて簡単且つ迅速に取り出すことができる。
【００３７】
タックルボックス１３から取り出された電動リール３１は、電源コード３２によりバッテリー本体１２と接続される。ケーシング１１に電源ソケット１８が設けられていることから、釣人は、バッテリー本体１２をケーシング１１から取り出す必要はなく、電源コード３２の電源プラグを電源ソケット１８に嵌め込むだけで、電動リール３１に電力を供給することができる。
【００３８】
また、釣人は、その他の実釣に必要な道具を適宜タックルボックス１３から出し入れすることができる。この場合においても、タックルボックス１３がバッテリー本体１２の上方に配置されていることから、釣人は、釣道具の出し入れをきわめて容易に行うことができる。
【００３９】
このように、本実施形態に係る電源装置１０は、タックルケースとしての機能を兼ね備えていることから、実釣において釣人は、バッテリー本体１２を取り出すことなく電動リール３１の電源を供給し、且つ必要な釣道具を電源装置１０から自在に取り出すことができる。したがって、釣人は、従来のように乗船後にタックルケースからすべての釣道具を取り出してバッテリーを設置し、その後必要に応じて釣道具を再度タックルケースに収納しつつ仕掛けをセットするという煩わしい作業を強いられることなく、素早く要領良く仕掛けをセットすることができ、また、素早く道具を片づけることができる。さらに、従来では、バッテリーが出し入れされることによって、タックルケースの内部に海水等が入ってしまうおそれがあったが、本実施形態に係る電源装置１０では、そのような問題は生じない。
【００４０】
特に、本実施形態では、前述のように、釣道具は、その種類に応じて分類して収容され、汚れや臭いが付着するものがタックルボックス１３の収容室２７〜２９に収容され、汚れや臭いが付着しないものが収容室３０に収容される。したがって、仮に、このように分類して収容されないとすれば、使用によって汚れてしまった釣道具から、本来汚れや臭い等が付着しない釣道具（釣糸、釣針等）へ臭い等が移ってしまうおそれがあるが、釣道具が前述のように分類して収容されることによって、釣糸や針等が汚れることはなく、釣人は、これらの釣道具を快適に使用することができる。
【００４１】
しかも、釣道具が分類して収容されることにより、釣人は、実釣中に頻繁に使用される釣道具（例えば、鋏、ナイフ等）をまとめて収容しておくことができる。仮に、鋏やナイフ等の実釣中に頻繁に使用する釣道具がまとめて収容されないとすれば、釣人は、従来からこの種の釣道具を船縁等に置いていたことから、船が揺れることにより、ナイフ等が船縁から落下したりするおそれがあり、非常に危険である。しかし、本実施形態に係る電源装置１０は、前述のように実釣中に頻繁に使用される釣道具をまとめて収容しておくことができるので、このような危険が回避される。
【００４２】
また、ケーシング１１の外壁面１９に釣糸引出孔２１が設けられていることから、釣人は、タックルボックス１３内に収容された釣糸３６の端部をケーシング１１の外部に予め引き出しておくことができる。これにより、釣人は、仕掛けを作成する際に、いちいちタックルボックス１３から釣糸３６を取り出す必要はなく、ケーシング１１の外部に引き出された釣糸３６の端部を引っ張るだけで、所望長さの釣糸３６を取り出すことができる。しかも、釣糸３６を取り出す際に上記扉１５、１６を開閉する必要がないから、水しぶきが電源装置１０内に侵入することもない。
【００４３】
さらに、本実施形態では、上記収容室３０（すなわち、本来汚れや臭い等が付着しない釣道具を収容する収容室）は、小物収容トレイ４０によって閉塞される。したがって、使用された釣道具が電源装置１０内に収容された状態で、収容室３０に収容された釣道具に汚れや臭いが付着することが確実に防止されるという利点がある。しかも、この小物収容トレイ４０には、予備の針や釣糸等が予めストックされ得るから、釣人は、多くの予備の釣道具を携帯することができるという利点もある。
【００４４】
加えて、ケーシング１１の外壁面１９に工具保持部２２が設けられているから、前述のように電源装置１０にプライヤ２３等のさまざまな工具が取り付けられる。したがって、釣人は、実釣におけるさまざまなトラブル（道具の故障、仕掛けの修正等）に迅速に対応することができるという利点もある。特に、この工具保持部２２は、前述のステーが設けれることによってケーシング１１に着脱自在に取り付けられる。これにより、釣人は、実釣中に工具が頻繁に使用すると判断した場合に、この工具保持部２２をケーシング１１に取り付けることができる。さらに、上記ステーがケーシング１１の複数箇所に設けられることにより、釣人は、使い勝手の良い位置に工具保持部２２を設置することができ、実釣に工具を自己の使いやすい位置に配置することができる。
【産業上の利用可能性】
【００４５】
本発明は、船釣の際に使用される電動リールに電力を供給する電源装置に適用され得る。
【図面の簡単な説明】
【００４６】
【図１】図１は、本発明の一実施形態に係る電源装置の分解斜視図である。
【図２】図２は、本発明の一実施形態に係る電源装置の正面図である。
【図３】図３は、本発明の一実施形態に係る電源装置の平面図である。
【図４】図４は、本発明の一実施形態に係る電源装置の側面図である。
【図５】図５は、扉が開放された状態での電源装置の正面図である。
【図６】図６は、図５におけるVI−矢視図である。
【符号の説明】
【００４７】
１０・・・電源装置
１１・・・ケーシング
１２・・・バッテリー本体
１３・・・タックルボックス
１４・・・開口
１５・・・扉
１６・・・扉
１８・・・電源ソケット
１９・・・外壁面
２０・・・釣糸取出部
２１・・・釣糸引出孔
２２・・・工具保持部
２３・・・プライヤ
２４・・・ドライバ
２５・・・バッテリーコード
２６・・・コネクタ
２７〜２９・・・収容室
３０・・・収容室
３１・・・電動リール
３２・・・電源コード
３３・・・ロッドキーパ
３４・・・ビシ
３５・・・仕掛けボックス
３６・・・釣糸
３７・・・側壁
３８・・・貫通孔
４０・・・小物収容トレイ
【図１】
2006042705.tif 000003
【図２】
2006042705.tif 000004
【図３】
2006042705.tif 000005
【図４】
2006042705.tif 000006
【図５】
2006042705.tif 000007
【図６】
2006042705.tif 000008